(57)【要約】【課題】携帯電話機等の表示画面の輝度むら調整が容易で、特に、高輝度カラー表示に適した有機ＥＬ駆動回路および有機ＥＬ表示装置を提供することにある。【解決手段】この発明は、電流分配を行う１対ｎのカレントミラー回路の第１の入力側トランジスタにカレントミラー接続されあるいはこの第１の入力側トランジスタに流れる電流に対応する電流が流される第２の入力側トランジスタにカレントミラー接続された複数の第２の出力トランジスタを有するカレントミラー回路で電流調整回路を構成する。そして、この電流調整回路を端子ピン対応に設けてそれぞれの回路の複数の第２の出力側トランジスタを所定のデータに応じて所定個数動作させて、その動作するトランジスタの個数に応じて分配する電流をそれぞれに調整するものである。【選択図】    図１
2004219625.tif 000002
【特許請求の範囲】
【請求項１】
有機ＥＬパネルの端子ピンを介して有機ＥＬパネルを電流駆動する有機ＥＬ駆動回路において、
前記端子ピンに流す電流あるいはその基礎となる電流を受ける第１の入力側トランジスタとこの第１の入力側トランジスタに対してカレントミラー接続され前記端子ピン対応に設けられた多数の第１の出力側トランジスタとを有し、この第１の出力側トランジスタに所定の量のミラー電流を生成することで受けた前記電流を前記端子ピン対応に分配する電流分配回路と、
前記端子ピンに対応して設けられ前記第１の入力側トランジスタにカレントミラー接続されあるいはこの第１の入力側トランジスタに流れる電流に対応する電流が流される第２の入力側トランジスタにカレントミラー接続され所定のデータに応じて所定の個数が動作して前記分配する電流に対して加算する電流を発生する複数の第２の出力側トランジスタを有する複数の電流調整回路と、
前記複数の電流調整回路のそれぞれに前記所定のデータを送出する外部からデータ書込が可能なメモリとを備える有機ＥＬ駆動回路。
【請求項２】
前記メモリはシフトレジスタであり、それぞれの前記第１の出力側トランジスタは、複数のトランジスタからなり、その少なくとも１つは、第１のスイッチ回路を介して電源ラインあるいは分配電流の出力端子に接続され、複数の前記第２の出力側トランジスタのぞれぞれは、前記第１の入力側トランジスタにカレントミラー接続され、それぞれ第２のスイッチ回路を介して前記電源ラインあるいは前記グランドラインに接続され、前記第１および第２のスイッチ回路は、前記所定のデータに応じてＯＮ／ＯＦＦされる請求項１記載の有機ＥＬ駆動回路。
【請求項３】
さらに、前記第１および第２の入力側トランジスタを駆動するカレントミラー回路を有し、前記メモリはシフトレジスタであり、前記第２の出力側トランジスタは、前記第１の出力側トランジスタの出力電流に対して実質的に１／ｎ（ただしｎは２以上の数）の出力電流を発生する請求項１記載の有機ＥＬ駆動回路。
【請求項４】
複数の前記第２の出力側トランジスタのぞれぞれは、それぞれ第１のスイッチ回路を介して電源ラインあるいは分配電流の出力端子に接続され、前記第１のスイッチ回路は、前記所定のデータに応じてＯＮ／ＯＦＦされる請求項３記載の有機ＥＬ駆動回路。
【請求項５】
有機ＥＬパネルの端子ピンを介して有機ＥＬパネルを電流駆動する有機ＥＬ駆動回路を有する有機ＥＬ表示装置において、
前記端子ピンに流す電流あるいはその基礎となる電流を受ける第１の入力側トランジスタとこの第１の入力側トランジスタに対してカレントミラー接続され前記端子ピン対応に設けられた多数の第１の出力側トランジスタとを有し、この第１の出力側トランジスタに所定の量のミラー電流を生成することで受けた前記電流を前記端子ピン対応に分配する電流分配回路と、
前記端子ピンに対応して設けられ前記第１の入力側トランジスタにカレントミラー接続されあるいはこの第１の入力側トランジスタに流れる電流に対応する電流が流される第２の入力側トランジスタにカレントミラー接続され所定のデータに応じて所定の個数が動作して前記分配する電流に対して加算する電流を発生する複数の第２の出力側トランジスタを有する複数の電流調整回路と、
前記複数の電流調整回路のそれぞれに前記所定のデータを送出する外部からデータ書込が可能なメモリとを備える有機ＥＬ表示装置。
【請求項６】
前記メモリはシフトレジスタであり、それぞれの前記第１の出力側トランジスタは、複数のトランジスタからなり、その少なくとも１つは、第１のスイッチ回路を介して電源ラインあるいは分配電流の出力端子に接続され、複数の前記第２の出力側トランジスタのぞれぞれは、前記第１の入力側トランジスタにカレントミラー接続され、それぞれ第２のスイッチ回路を介して前記電源ラインあるいは前記グランドラインに接続され、前記第１および第２のスイッチ回路は、前記所定のデータに応じてＯＮ／ＯＦＦされる請求項５記載の有機ＥＬ表示装置。
【請求項７】
さらに、前記第１および第２の入力側トランジスタを駆動するカレントミラー回路を有し、前記メモリはシフトレジスタであり、前記第２の出力側トランジスタは、前記第１の出力側トランジスタの出力電流に対して実質的に１／ｎ（ただしｎは２以上の数）の出力電流を発生する請求項６記載の有機ＥＬ表示装置。
【請求項８】
各前記第１の出力側トランジスタは１個のトランジスタであり、複数の前記第２の出力側トランジスタのぞれぞれは、それぞれ第１のスイッチ回路を介して電源ラインあるいは分配電流の出力端子に接続され、第１のスイッチ回路は、前記所定のデータに応じてＯＮ／ＯＦＦされる請求項７記載の有機ＥＬ表示装置。
【発明の詳細な説明】
【０００１】
【発明の属する技術分野】
この発明は、有機ＥＬ駆動回路およびこれを用いる有機ＥＬ表示装置に関し、詳しくは、携帯電話機等の表示画面の輝度むら調整が容易で、特に、高輝度カラー表示に適した有機ＥＬ表示装置に関する。
【０００２】
【従来の技術】
携帯電話機，ＰＨＳ、ＤＶＤプレーヤ、ＰＤＡ（携帯端末装置）等に搭載される有機ＥＬ表示装置の有機ＥＬ表示パネルでは、カラムラインの数が３９６個（１３２×３）の端子ピン（以下ピン）、ローラインが１６２個のピンを持つものが提案され、カラムライン、ローラインのピンはこれ以上に増加する傾向にある。
このような有機ＥＬ表示パネルの電流駆動回路の出力段は、アクディブマトリックス型でも単純マトリックス型のものでもピン対応に電流源の駆動回路、例えば、カレントミラー回路による出力回路が設けられている。
【０００３】
カレントミラー回路による出力回路は、ピン対応に配置され、そのドライブ段は、例えば、特願２００２−８２６６２号に示されるように、ピン対応に多数の出力側トランジスタを有するパラレル駆動のカレントミラー回路とされて、手前の入力段となる基準電流発生回路から基準電流を受けてピン対応にミラー電流を発生する。さらに、ピン対応にカレントミラーで構成されるＤ／Ａ変換回路を設けて、それぞれのＤ／Ａ変換回路が基準駆動電流として前記のミラー電流を受けてこの電流を基準としてそれぞれに表示データを受けてそれぞれにＤ／Ａ変換してピン対応に駆動電流を生成し、前記のカレントミラーの出力回路を駆動する。
【０００４】
このように、カレントミラー構成で駆動電流を生成することにより、例えば、パッシブマトリックスの場合には、数μＡ程度の微小な基準電流からｍＡあるいは１Ａ程度の大きな電流を電力ロスを抑えて電流増幅することができ、低消費電力の駆動回路を実現することができる。また、アクティブマトリックスの場合には、同様にして低消費電力で１ｎＡ〜１μＡの駆動電流を得ることがきる。
ところで、マトリックス状に配置した有機ＥＬ素子を電流駆動し、かつ、有機ＥＬ素子の陽極と陰極をグランドに落としてリセットする有機ＥＬ素子の駆動回路が特許文献１として公知である。また、ＤＣ−ＤＣコンバータを用いて有機ＥＬ素子を低消費電力で電流駆動する技術が特許文献２として公知である。
【０００５】
【特許文献１】
特開平９−２３２０７４号公報
【特許文献２】
特開２００１−１４３８６７号公報
【０００６】
【発明が解決しようとする課題】
前記したこの発明の先行技術の特願２００２−８２６６２号では、有機ＥＬ表示パネルをピンを介して電流駆動する電流駆動回路の集積効率を上げるために、入力トランジスタ１個に対してｎ個の出力トランジスタを持つ１対ｎのカレントミラー回路を設けて基準電流をピン対応に分配している。この場合に、ｎが３０以上になると、分配される基準電流が均一でなくなり、それが表示画面上で輝度むらとなって現れる。そこで、カレントミラー回路の入力側トランジスタを出力側トランジスタの中央に配置するようにしているが、輝度むらの低減に対する要求が高く、人の目は、輝度むらが気になると、細かい輝度むらまで映るようになり、現在では、製造段階でのトランジスタの特性のばらつきによる輝度むらが問題になってきている。
【０００７】
図３は、この発明の先行技術における基準電流分配回路を中心とした電流駆動回路の説明図である。
１は、基準電流発生回路であり、２は、基準電流調整回路、３は、基準電流分配回路、４は、カレントミラー構成の電流スイッチングＤ／Ａ変換回路（Ｄ／Ａ）、５は、出力段電流源、そしてＸ１，Ｘ２〜Ｘｍは、カラム側の出力端子であり、有機ＥＬパネルのピンに接続される。
基準電流分配回路３は、Ｐチャネルの入力側トランジスタＴＰａとこの入力側トランジスタＴＰａに対して並列に接続されたカレントミラー接続のＰチャネルの出力側トランジスタＴＰｂ，ＴＰｃ〜ＴＰｍからなり、トランジスタＴＰａが基準電流発生回路１により生成され、基準電流調整回路２により調整された基準電流Ｉｒｅｆで駆動される。なお、基準電流調整回路２は、製造工程でレーザトリミング等により基準電流がＩｒｅｆになるように調整する回路であり、通常、Ｒ，Ｇ，Ｂに対応してそれぞれ設けられ、ホワイトバランス等の調整をするために利用される。なお、２ａは、基準電流Ｉｒｅｆの出力端子である。
ここで、基準電流分配回路３では、カレントミラー回路を形成する出力側トランジスタに３０個以上のトランジスタが使用されるので、入力側トランジスタに対して各トランジスタのペア性が十分採れなくなって、トランジスタＴＰｂ，ＴＰｃ〜ＴＰｍの特性の相違により、各ピン対応に分配された出力電流ｉ１〜ｉｍにもばらつきが生じる。その結果、それぞれのＤ／Ａ４の出力電流Ｉ１〜Ｉｍに同じようなばらつきが生じ、それが現在では、輝度むらとして問題視されるようになってきている。
この発明の目的は、このような従来技術の問題点を解決するものであって、携帯電話機等の表示画面の輝度むら調整が容易で、特に、高輝度カラー表示に適した有機ＥＬ駆動回路および有機ＥＬ表示装置を提供することにある。
【０００８】
【課題を解決するための手段】
このような目的を達成するためのこの発明の有機ＥＬ駆動回路およびこれを用いる有機ＥＬ表示装置の特徴は、端子ピンに流す電流あるいはその基礎となる電流を受ける第１の入力側トランジスタとこの第１の入力側トランジスタに対してカレントミラー接続され端子ピン対応に設けられた多数の第１の出力側トランジスタとを有し、この第１の出力側トランジスタに所定の量のミラー電流を生成することで受けた電流を端子ピン対応に分配する電流分配回路と、端子ピンに対応して設けられ第１の入力側トランジスタにカレントミラー接続されあるいはこの第１の入力側トランジスタに流れる電流に対応する電流が流される第２の入力側トランジスタにカレントミラー接続され所定のデータに応じて所定の個数が動作して前記の分配する電流に対して加算する電流を発生する複数の第２の出力側トランジスタを有する複数の電流調整回路と、複数の電流調整回路のそれぞれに所定のデータを送出する外部からデータ書込が可能なメモリとを備えるものである。
【０００９】
【発明の実施の形態】
このように、この発明にあっては、電流分配を行う１対ｎのカレントミラー回路の第１の入力側トランジスタにカレントミラー接続されあるいはこの第１の入力側トランジスタに流れる電流に対応する電流が流される第２の入力側トランジスタにカレントミラー接続された複数の第２の出力側トランジスタを有するカレントミラー回路として電流調整回路を構成する。そして、この電流調整回路を端子ピン対応に設けてそれぞれの回路の複数の第２の出力側トランジスタを所定のデータに応じて所定個数動作させて、その動作するトランジスタの個数に応じて分配する電流に対して電流を加算調整する。
これにより、分配する電流の電流値の調整を第２の出力側トランジスタの動作数を所定のデータとして設定するだけで行うことができる。
通常、この種の回路をＩＣ化した場合に、カレントミラー回路は、同じ単位トランジスタを選択的に接続して形成することになる。多数の単位トランジスタを縦横に配列する回路は、容易にＩＣ化できるので、単純な回路で電流値の調整がピン対応に可能になり、トランジスタの動作数で電流値の調整ができるので、その調整も容易である。
その結果、携帯電話機，ＰＨＳ等の装置ごとの表示画面の輝度むらの調整が容易で、特に、高輝度カラー表示に適した有機ＥＬ駆動回路および有機ＥＬ表示装置を容易に実現できる。
【００１０】
【実施例】
図１は、この発明の有機ＥＬ駆動回路を適用した一実施例のカラムドライバの電流分配回路を中心とするブロック図、図２は、分配電流値微調整回路を独立に設けたこの発明の他の実施例のブロック図である。なお、図３と同一の構成要素は同一の符号で示し、その説明を割愛する。
図１において、１００は、有機ＥＬ駆動回路のカラムドライバＩＣであって、１１は、その基準電流分配回路であり、１２は、カラムドライバＩＣ１００の総ピン数Ｐに対してＰ×４の段数のフリップフロップからなるシフトレジスタである。これにより１ピン当たり４段のフリップフロップが割り当てられる。
基準電流分配回路１１は、カレントミラーを構成する入力側のトランジスタＴＰａとこのトランジスタＴＰａ、１個に対して、図３の出力側の１個のトランジスタは、複数個、例えば、図３のトランジスタＴＰｂに対応するものとして、これを１０個のトランジスタＴＰ１，ＴＰ２〜ＴＰ１０に分割して割り当て、さらに、２個の出力側トランジスタＴＰ１１，ＴＰ１２を追加する。
その結果、１ピン当たりの出力側トランジスタＴＰ１〜ＴＰ１２で構成され、合計で出力側トランジスタが１２個からなるカレントミラー回路となる。トランジスタＴＰ１〜ＴＰ１２のソース側は電源ライン＋ＶＤＤ（例えば３Ｖ）に接続され、ドレイン側は共通に出力端子１１ｂに接続され、その出力電流がこの出力端子１１ｂを介してＤ／Ａ４に送出される。
ここで、トランジスタＴＰａは、ドレインに基準電流調整回路２から電流シンクの基準電流値Ｉｒｅｆを受ける。
【００１１】
出力側トランジスタＴＰ１〜ＴＰ１２のうち後ろの４個のトランジスタＴＰ９〜ＴＰ１２には、それぞれのソースと電源ライン＋ＶＤＤとの間に図示するようにスイッチ回路ＳＷ１〜ＳＷ４が設けられ、これらが電流調整回路を構成している。
各スイッチ回路ＳＷ１〜ＳＷ４は、シフトレジスタ１２のうち１ピン当たり、４段が割り当てられ、その各段のフリップフロップ（ＦＦ）１３からＱバー出力（Ｑ出力の反転出力）を受けて、フリップフロップに“１”がセットされたときにそれに対応するスイッチ回路がＯＮされ、“０”がセットされたときにＯＦＦにされる。
シフトレジスタ１２にセットされるデータは、ＭＰＵ８からその入力端子１２ｂに入力されるクロックＣＬＫに応じて電源投入時にその入力端子１２ａに送出されてシフトレジスタ１２に設定される。
６は、表示データレジスタであって、ＭＰＵ８から各ピン対応に表示データがセットされる。この表示データレジスタ６にセットされた各ピン対応の表示データは、それぞれにピン対応に設けられたＤ／Ａ４に送出されて、分配された基準電流を基準としてＤ／Ａ４によりアナログ値として変換される。
【００１２】
さて、ここでは、スイッチ回路ＳＷ１，ＳＷ２を基本的にＯＮ状態に設定することで、基準電流値Ｉｒｅｆを１０個のトランジスタに分割して生成して、これらトランジスタ１０個の合計電流値として各ピン対応の分配電流を発生する。
例えば、図３の基準電流を分配するピン対応の各トランジスタＴＰｂ，ＴＰｃ〜ＴＰｍがそれぞれ４μＡの基準電流を分配電流として発生するものとすると、各トランジスタのチャネル幅（ゲート幅）の比を１：１とすれば、トランジスタＴＰ〜ＴＰ１０の１０個のトランジスタの出力電流の総計が４μＡとなるので、ここでは、トランジスタＴＰ１〜ＴＰ１０の各トランジスタの出力電流は、４００ｎＡとなる。そこで、このときの基準電流調整回路２から出力される基準電流値Ｉｒｅｆは４００ｎＡになる。
このように１０個のトランジスタを並列に駆動することで分配する基準電流を生成すると、１個のトランジスタで発生する場合のばらつきが平均化され、ばらつきを抑えることができる。さらに、スイッチ回路ＳＷ１〜ＳＷ４のＯＮ／ＯＦＦさせる４ビットのデータを所定の値に設定することで、この例では、−２０％〜＋２０％の範囲で分配する基準電流を１０％単位で加算調整することができる。この調整データは、製品出荷段階の輝度むら調整により、ＭＰＵ８に内蔵された不揮発性メモリにデータとして設定される。なお、輝度むらは、画素単位で輝度を測定する輝度測定装置により画面の輝度を測定し、その結果として前記の設定データがＭＰＵ８に対する入力されてデータとして生成される。
【００１３】
実際の各ピン間の駆動電流値のばらつきは、基準電流調整回路２が設けられ、ここで、精度の高い基準電流が生成され、製造技術の向上により現在では±３％程度の範囲に抑えることができる。そこで、Ｒ，Ｇ，Ｂのホワイトバランス調整のときは別として、実際上は、−２０％〜＋２０％の範囲での補正は必要ではなく、また、１０％単位の補正では補正精度が粗い。
そこで、前記の回路において、電流値調整用の４個のうち後の２個のトランジスタＴＰ１１〜ＴＰ１２のチャネル幅（ゲート幅）の比をカレントミラーを構成する入力側のトランジスタＴＰａに対して２：１とすれば、−２０％〜＋１０％の範囲で５％単位で、分配する基準電流値を調整することができる。さらに、スイッチ回路を設けた出力側トランジスタを最後にスイッチ回路付きのトランジスタを１個追加して、入力側のトランジスタＴＰに対する、これら３個のトランジスタのチャネル幅（ゲート幅）の比を３：１とすれば、約３％単位で分配する基準電流値を調整することができる。また、スイッチ回路を設けた出力側トランジスタを最後にスイッチ回路付きトランジスタを２個追加して、入力側のトランジスタＴＰに対するこれら４個のトランジスタのチャネル幅（ゲート幅）の比を４：１とすれば、２．５％単位で分配する基準電流値を調整することができる。
ところで、チャネル幅（ゲート幅）の比は、ゲート幅で調整するのではなく、単位トランジスタを並列接続する個数により実現してもよいことはもちろんである。
【００１４】
さて、図１の実施例のスイッチ回路ＳＷ１〜ＳＷ４もトランジスタで構成されるので、２．５％単位以下のより精度の高い調整を行おうとすると、図１に示す電流値調整回路では、その分、トランジスタの数が多くならざるを得ない。しかも、電流調整回路は、各ピン対応に設けられるので、回路全体のトランジスタの数がかなり多くなる。
図２は、分配電流値微調整回路を独立に設けたこの発明の他の実施例のカラムドライバＩＣ１０１のブロック図であって、このような問題を解決している。
図２においては、図３の基準電流調整回路２に換えて基準電流調整回路７が設けられる。この基準電流調整回路７は、レーザトリミング等により基準電流がＩｒｅｆ−０．０３×Ｉｒｅｆの値に調整する。これにより、調整基準となる電流値が９７％×Ｉｒｅｆとされ、−３％下側に設定される。これは、製造技術の向上により基準電流分配回路１１により分配される基準電流値のばらつきが１００％±３％程度に抑えられることから、このばらつきの基準電流値の下限値に入力される基準電流値を設定するものである。
基準電流値分配回路２０は、図３の出力側トランジスタＴＰｂ，ＴＰｃ〜ＴＰｍの各トランジスタに対して分配電流値微調整回路１４が設けられる。基準電流値のばらつきの下限値に相当する０．９７×Ｉｒｅｆの基準電流値Ｉｒを前記基準電流調整回路７から受ける。
【００１５】
図３の出力側トランジスタＴＰｂを代表として、その分配電流値微調整回路１４について以下説明すると、出力側トランジスタＴＰａに対して、１個の入力側トランジスタＴＰ２０と６個のＰチャネルの出力側トランジスタＴＰ２１，ＴＰ２２〜ＴＰ２６からなるカレントミラー回路の分配電流値微調整回路１４が設けられる。図１と同様に、各トランジスタのソース側は、スイッチ回路ＳＷ１〜ＳＷ６を介して電源ライン＋ＶＤＤに接続され、ドレイン側は、共通に出力端子１１ｂに接続されている。トランジスタＴＰａは、下流に設けられたＮチャネルトランジスタのカレントミラー回路１７により駆動される。
なお、１１ｃは、図３の出力側トランジスタＴＰｃに対応する回路の同様な出力端子であり、縦の点線は、その境界ラインである。
カレントミラー回路１７は、入力側のトランジスタＴＮ１と出力側トランジスタＴＮ２とからなる回路であって、それぞれのソース側は、グランドＧＮＤに接続され、トランジスタＴＮ１のドレインに基準電流調整回路７から吐き出しの基準電流値Ｉｒを受け、出力側トランジスタＴＮ２にシンク電流Ｉｒを発生する。
トランジスタＴＮ１とトランジスタＴＮ２とのチャネル幅（ゲート幅）の比を１：１とし、図３の基準電流Ｉｒｅｆを４μＡとすると、基準電流値Ｉｒは、３．８８μＡになる。
【００１６】
分配電流値微調整回路１４は、入力側トランジスタＴＰ２０のドレインがＮチャネルのトランジスタＴＮ３のドレインに接続され、このトランジスタＴＮ３がカレントミラー回路１７の入力側トランジスタＮ１に出力側トランジスタとしてカレントミラー接続されている。
そして、トランジスタＴＮ１とトランジスタＴＮ３とのチャネル幅（ゲート幅）の比は、１：１／１００となっている。そこで、カレントミラー接続された出力側トランジスタＴＰ２１〜ＴＰ２５には、トランジスタＴＰａの１／１００の３８ｎＡの電流が流れる。なお、図では、説明上、トランジスタＴＮ３を１個のトランジスタで示して、チャネル幅（ゲート幅）の比は、１００：１としているが、実際上は、１０：１のカレントミラー回路を２段設けることで、１００：１の電流を生成する。
その結果、基準電流Ｉｒｅｆを４μＡの１／１００の約４０ｎＡ単位で電流値調整が可能となる。これにより、基準電流のばらつきの下限値である９７％×Ｉｒｅｆを下限として−３％〜＋３％の範囲で１％単位で出力側トランジスタＴＰａの出力電流値を調整することができる。
この実施例では、各スイッチ回路ＳＷ１〜ＳＷ６は、シフトレジスタ１２のうち１ピン当たり、６段が割り当てられ、その各段のフリップフロップ１３からＱバー出力（Ｑ出力の反転出力）を受けて、フリップフロップに“１”がセットされたときにＯＮし、“０”がセットされたときにＯＦＦする。なお、このときのシフトレジスタ１２の総段数は、この場合、総ピン数Ｐ×６段である。
【００１７】
以上説明してきたが、実施例では、スイッチ回路ＳＷ１〜ＳＷ６は、それぞれ各トランジスタのソースと電源ラインとの間に設けられているが、これは、ドレインと各出力端子１１ｂ，１１ｃ…との間にそれぞれ設けられていてもよい。
また、実施例では、基準電流調整回路２，基準電流調整回路７は、レーザトリミングによる電流調整回路としているが、これは、Ｄ／Ａ変換回路等により後からプログラム処理で調整するようなソフトウエハによる調整回路であってもよい。
また、シフトレジスタ１２は、ＭＰＵ８から電源投入時にデータが設定されるようになっているが、これは、不揮発性メモリで構成してもよく、製品出荷段階のテスト、調整段階でデータがＭＰＵ８を介してあるいは直接不揮発性メモリに設定されるものであってもよい。
なお、実施例では、ＭＯＳＦＥＴトランジスタを主体として構成しているが、バイポーラトランジスタを主体としても構成してもよいことはもちろんである。
また、実施例のＮチャンネル型トランジスタ（あるいはｎｐｎ型）は、Ｐチャンネル型（あるいはｐｎｐ型）トランジスタに、Ｐチャンネル型トランジスタは、Ｎチャンネル（あるいはｎｐｎ型）トランジスタに置き換えることができる。この場合には、電源電圧は負となり、上流に設けたトランジスタは下流に設けることになる。
また、有機ＥＬパネルの端子ピンとこの端子ピンに接続されるカラムドライバＩＣの出力ピンとは、本来接続されて一体となるので、この明細書および特許請求の範囲においては特に区別されるべきものではない。
【００１８】
【発明の効果】
以上説明してきたように、この発明にあっては、電流分配を行う１対ｎのカレントミラー回路の第１の入力側トランジスタにカレントミラー接続されあるいはこの第１の入力側トランジスタに流れる電流に対応する電流が流される第２の入力側トランジスタにカレントミラー接続された複数の第２の出力側トランジスタを有するカレントミラー回路として電流調整回路を構成する。そして、この電流調整回路を端子ピン対応に設けてそれぞれの回路の複数の第２の出力側トランジスタを所定のデータに応じて所定個数動作させて、その動作するトランジスタの個数に応じて分配する電流に対して電流を加算調整する。
これにより、分配する電流の電流値の調整を第２の出力側トランジスタの動作数を所定のデータとして設定するだけで行うことができる。
その結果、携帯電話機，ＰＨＳ等の装置ごとの表示画面の輝度むらの調整が容易で、特に、高輝度カラー表示に適した有機ＥＬ駆動回路および有機ＥＬ表示装置を容易に実現できる。
【図面の簡単な説明】
【図１】図１は、この発明の有機ＥＬ駆動回路を適用した一実施例のカラムドライバの電流分配回路を中心とするブロック図である。
【図２】図２は、分配電流値微調整回路を独立に設けたこの発明の他の実施例のブロック図である。
【図３】図３は、この発明の先行技術における基準電流分配回路を中心とした電流駆動回路の説明図である。
【符号の説明】
１…基準電流発生回路、２…基準電流調整回路、
３，１１…基準電流分配回路、
４…Ｄ／Ａ変換回路（Ｄ／Ａ）、５…出力段電流源、
６…表示データレジスタ、８…ＭＰＵ、
１０，１００…カラムドライバＩＣ、
１２…シフトレジスタ、
１３…フリップフロップ、
Ｘ１〜Ｘｍ…カラム側の出力端子、
ＴＰａ〜ＴＰｎ−１…トランジスタ。
【図１】
2004219625.tif 000003
【図２】
2004219625.tif 000004
【図３】
2004219625.tif 000005